(57)【要約】【課題】地図の表示部分の表示を妨げないようにオーディオ情報を表示することができる地図表示装置を提供する。【解決手段】表示モニタ１６に表示された鳥瞰図表示の地図３０の上部の領域には、空３１が表示されている。空３１の表示領域には、アドバルーン３２が表示される。アドバルーン３２の垂れ幕には、「○○の歌」と、現在ＣＤプレーヤ部１９で演奏されている音楽の曲名などのオーディオ情報３２ａが表示される。【選択図】図３
2008139079.tif 000002
【特許請求の範囲】
【請求項１】
表示モニタに空と道路地図とを表示する地図表示手段と、
再生中の音楽に関するオーディオ情報を前記表示モニタに表示するオーディオ情報表示手段とを備え、
前記オーディオ情報表示手段は、現実の空に観察することができる対象物を前記空の領域に表示し、前記対象物を用いてオーディオ情報を表示することを特徴とする地図表示装置。
【請求項２】
請求項１に記載の地図表示装置において、
前記対象物はアドバルーンであり、
前記オーディオ情報表示手段は、前記オーディオ情報を前記アドバルーンの垂れ幕に表示することを特徴とする地図表示装置。
【請求項３】
請求項１に記載の地図表示装置において、
前記対象物は雲であり、
前記オーディオ情報表示手段は、前記オーディオ情報を雲で描いたような文字で表示することを特徴とする地図表示装置。
【請求項４】
請求項１に記載の地図表示装置において、
前記対象物は星であり、
前記オーディオ情報表示手段は、前記オーディオ情報を星の配列で表示することを特徴とする地図表示装置。
【請求項５】
請求項４に記載の地図表示装置において、
前記オーディオ情報表示手段は、前記再生中の音楽が終了すると、前記オーディオ情報を表示している星を流れ星として消去することを特徴とする地図表示装置。
【発明の詳細な説明】
【技術分野】
【０００１】
本発明は、オーディオ機能を備えた、またはオーディオ装置と接続できる地図表示装置に関する。
【背景技術】
【０００２】
オーディオ機能を備えたナビゲーション装置が従来技術として知られている（たとえば、特許文献１）。
【特許文献１】特開２００４−１３２７４１号公報
【発明の開示】
【発明が解決しようとする課題】
【０００３】
従来のナビゲーション装置では、再生しているトラックナンバや再生時間など、再生している音楽に関する情報をステータスバーとして地図に重ねて表示する。このため、地図表示がステータスバーによって大きく隠れてしまうという問題点がある。
【課題を解決するための手段】
【０００４】
（１）請求項１の発明の地図表示装置は、表示モニタに空と道路地図とを表示する地図表示手段と、再生中の音楽に関するオーディオ情報を表示モニタに表示するオーディオ情報表示手段とを備え、オーディオ情報表示手段は、現実の空に観察することができる対象物を空の領域に表示し、対象物を用いてオーディオ情報を表示することを特徴とする。
（２）請求項２の発明は、請求項１に記載の地図表示装置において、対象物はアドバルーンであり、オーディオ情報表示手段は、オーディオ情報をアドバルーンの垂れ幕に表示することを特徴とする。
（３）請求項３の発明は、請求項１に記載の地図表示装置において、対象物は雲であり、オーディオ情報表示手段は、オーディオ情報を雲で描いたような文字で表示することを特徴とする。
（４）請求項４の発明は、請求項１に記載の地図表示装置において、対象物は星であり、オーディオ情報表示手段は、オーディオ情報を星の配列で表示することを特徴とする。
（５）請求項５の発明は、請求項４に記載の地図表示装置において、オーディオ情報表示手段は、再生中の音楽が終了すると、オーディオ情報を表示している星を流れ星として消去することを特徴とする。
【発明の効果】
【０００５】
本発明によれば、現実の空に観察されるアドバルーンや雲などの対象物を地図の空の領域に表示し、このような対象物を用いて再生中の音楽に関するオーディオ情報を提示するようにした。したがって、地図の地上部分の表示を妨げないようにオーディオ情報を表示することができる。
【発明を実施するための最良の形態】
【０００６】
本発明の実施形態によるオーディオ装置付きナビゲーション装置の構成を図１に示す。図１のナビゲーション装置１は、本来のナビゲーション機能に加えて、ＣＤやＨＤＤに記憶された音楽データを再生して、音楽をスピーカ１７から出力することができる。ナビゲーション装置１は、制御回路１１、ＲＯＭ１２、ＲＡＭ１３、現在地検出装置１４、画像メモリ１５、表示モニタ１６、スピーカ１７、入力装置１８、ＣＤプレーヤ部１９およびディスクドライブ１１０を有している。ディスクドライブ１１０には、地図データが記録されたＤＶＤ−ＲＯＭ１１１が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１は、ＣＤプレーヤ部１９の動作を制御したり、ＤＶＤ−ＲＯＭ１１１に記憶された地図データに基づいて所定の経路探索処理を行ったりする。
【０００８】
現在地検出装置１４は車両の現在地を検出する装置であり、たとえば、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどから成る。振動ジャイロ１４ａは車両の進行方向を検出し、車速センサ１４ｂは車速を検出し、ＧＰＳセンサ１４ｃはＧＰＳ衛星からのＧＰＳ信号を検出する。画像メモリ１５は、表示モニタ１６にオーディオ情報を表示する対象物の画面データや地図画面を表示するための画像データを格納する。
【０００９】
ディスクドライブ１１０は、装填されたＤＶＤ−ＲＯＭ１１１から、表示モニタ１６へ地図を表示するための地図データを読み出す。制御回路１１は、読み出した地図データより鳥瞰図表示の地図を作成する。鳥瞰図表示の地図は以下のように作成する。制御回路１１は、読み出した地図データより平面地図を作成する。図２に示すように、平面地図をＸＹ平面とし、ＸＹ平面に直交するＺ軸上の高さＺの位置、つまり自車位置２１の後方上空に視点Ｍを置く。そして、視点Ｍから地表面上の地図データを見た鳥瞰図であって、表示モニタ１６の表示画面１６ａに表示される鳥瞰図を作成する平面地図の領域（台形ＡＢＣＤ）を算出し、この領域の平面地図に基づいて鳥瞰図表示の地図を作成する。鳥瞰図表示の地図に奥行きを持たせるため、地図画面の上部には空を表示する。空の表示領域は、地図画面全体の１／４から１／３となる。また、主な施設については立体表示する。
【００１０】
表示モニタ１６は、鳥瞰図表示の地図や、ＣＤプレーヤ部１９の動作状況やＣＤプレーヤ部１９で再生している音楽に関する情報などといったオーディオ情報を表示する。スピーカ１７は、操作案内や経路誘導するための音声を出力する。また、スピーカ１７より、ＣＤプレーヤ部１９で再生した音声を出力する。
【００１１】
入力装置１８は、ユーザが各種コマンドの設定などするための操作キーを有し、操作パネル上のボタンスイッチやパネル周囲のハードスイッチなどによって実現される。入力装置１８により、ＣＤプレーヤ部１９を操作することができる。たとえば、ＣＤプレーヤ部１９に装着したＣＤの音楽データを再生したり、再生するＣＤをほかのＣＤに変えたり、ＣＤを排出したりすることができる。
【００１２】
ＣＤプレーヤ部１９は、ＣＤの音楽データを再生してスピーカ１７に出力する。また、ＣＤプレーヤ部１９は、再生中の音楽の曲名などのオーディオ情報を読み込み、その情報を制御回路１１に出力する。
【００１３】
図３を参照して、本発明の一実施形態におけるオーディオ情報の表示方法について説明する。図３に示すように、表示モニタ１６の表示画面には、自車位置２１を含む鳥瞰図表示の地図３０が表示されている。地図３０の上部の領域には、空３１が表示されている。空３１の表示領域には、アドバルーン３２が表示される。アドバルーン３２の垂れ幕には、「○○の歌」と、現在ＣＤプレーヤ部１９で演奏されている音楽の曲名などのオーディオ情報３２ａが表示される。
【００１４】
次に、本発明の実施形態によるナビゲーション装置１のオーディオ情報の表示処理について、図４のフローチャートを参照して説明する。図４の処理は、鳥瞰図表示の地図を表示モニタ１６に表示する際にスタートするプログラムを、制御回路１１で実行して行われる。
【００１５】
ステップＳ４０１では、鳥瞰図表示の地図３０が表示モニタ１６に表示されているか否かを判定する。表示されている場合はステップＳ４０１が肯定判定され、ステップＳ４０２へ進む。表示されていない場合はステップＳ４０１が否定判定され、処理は終了する。ステップＳ４０２では、アドバルーン３２が表示されているかを判断するためのフラグｔの値を０とする。
【００１６】
ステップＳ４０３では、ＣＤプレーヤ部１９が音楽を再生しているか否かを判定する。再生している場合はステップＳ４０３が肯定判定され、ステップＳ４０４へ進む。再生していない場合は、ステップＳ４０３が否定判定され、ステップＳ４０１へ戻る。ステップＳ４０４では、アドバルーン３２の表示を判断するためのフラグｔの値が１であるか否かを判定する。フラグｔの値が１である場合はステップＳ４０４が肯定判定され、ステップＳ４０７へ進む。フラグｔの値が０の場合はステップＳ４０４が否定判定され、ステップＳ４０５へ進む。ステップＳ４０５では、アドバルーン３２を空の領域３１に表示する。ステップＳ４０６では、アドバルーン３２の表示を判断するためのフラグｔの値を１とする。ステップＳ４０７では、再生している音楽の曲名の情報をＣＤプレーヤ部１９から取得する。ステップＳ４０８では、アドバルーン３２の垂れ幕に曲名（オーディオ情報３２ａ）を表示する。
【００１７】
ステップＳ４０９では、ＣＤプレーヤ部１９が音楽を再生しているか否かを判定する。再生している場合はステップＳ４０９が肯定判定され、ステップＳ４１０へ進む。再生していない場合はステップＳ４０９が否定判定され、ステップＳ４１１へ進む。ステップＳ４１０では、鳥瞰図表示の地図３０が表示モニタ１６に表示されているか否かを判定する。表示されている場合はステップＳ４１０が肯定判定され、ステップＳ４０４へ戻る。表示されていない場合はステップＳ４１０が肯定判定され、処理は終了する。ステップＳ４１１では、アドバルーン３２を消去する。そして、ステップＳ４０１へ戻る。
【００１８】
以上の実施の形態によるナビゲーション装置１は次のような作用効果を奏する。
（１）アドバルーン３２を鳥瞰図表示の地図画面の空の領域３１に表示し、再生中の音楽に関するオーディオ情報３２ａをアドバルーン３２の垂れ幕内に表示するようにした。したがって、地図３０の地上部分の表示を妨げないでオーディオ情報３２ａを表示することができる。また、上空によく見かけるアドバルーン３２にオーディオ情報３２ａを表示するので、オーディオ情報３２ａの表示に対してユーザは違和感を覚えない。
【００１９】
（２）鳥瞰図表示の地図の領域を用いてオーディオ情報３２ａを表示するようにしたので、表示画面内に多くの情報を表示しても、本来の地図表示の性能を損なうことがない。
【００２０】
以上の実施の形態を次のように変形することができる。
（１）現実の空に観察されるアドバルーン３２にオーディオ情報３２ａを表示したが、現実の空に観察される対象物であれば、アドバルーン３２に限定されない。たとえば、図５に示すように、雲で文字を描いてオーディオ情報５１を表示するようにしてもよい。この場合、ナビゲーション装置は、あたかも雲で文字を描いたように見える文字のフォント（以下、雲形フォントと呼ぶ。）を有している。空３１の領域に、雲形フォントで曲名を表示することによって、あたかも上空の雲で曲名を描いているように見える。雲形フォントの文字は、たとえば、図５に示すように、周知のフォントの文字の太字の輪郭に、複数の円弧状の凸部を設けることによって作成することができる。この場合も、地図３０の地上部分の表示を妨げないでオーディオ情報５１を表示することができる。また、上空によく見かける雲にオーディオ情報５１を表示するので、オーディオ情報５１の表示に対してユーザは違和感を覚えない。
【００２１】
雲によるオーディオ情報の表示処理について、図６のフローチャートを参照して説明する。本発明の実施形態と同じステップは同じ符号を付し、本発明の実施形態と異なる部分を主に説明する。
【００２２】
ステップＳ４０７で再生している音楽の曲名の情報５１をＣＤプレーヤ部１９から取得した後、ステップＳ６０１で、雲形フォントで空３１の領域に曲名５１を表示する。そして、ステップＳ４０９へ進む。ステップＳ４０９が否定判定されるとステップＳ６０２へ進み、空３１の領域に表示した曲名５１を消去する。そして、ステップＳ４０１へ戻る。
【００２３】
（２）また、図７（ａ）に示すように、星の配置でオーディオ情報７１を表示するようにしてもよい。この場合、ナビゲーション装置１は、文字と、文字を表す星の配列との関係を示すテーブルをＲＯＭ１２に記憶している。このテーブルを参照して、オーディオ情報７１に係る文字を星の配列に置換し、空３１の領域にオーディオ情報７１を表示する。この場合も、地図３０の地上部分の表示を妨げないでオーディオ情報を表示することができる。また、現実の空によく見かける星の配列よってオーディオ情報７１を表示するので、オーディオ情報７１の表示に対してユーザは違和感を覚えない。
【００２４】
ＣＤプレーヤ部１９で再生している曲が終了すると、星の配列によって表されていたオーディオ情報７１は消去される。このとき、図７（ｂ）に示すように、オーディオ情報を表示していた星が流れ星となって消えるようにしてもよい。星が突然消えると、ユーザは違和感を覚えるおそれがあるが、星が流れ星となって徐々に消えるようにして違和感を低減できる。
【００２５】
星の配列によるオーディオ情報７１の表示処理について、図８のフローチャートを参照して説明する。本発明の実施形態と同じステップは同じ符号を付し、本発明の実施形態と異なる部分を主に説明する。
【００２６】
ステップＳ４０７で、再生している音楽の曲名の情報７１をＣＤプレーヤ部１９から取得した後、ステップＳ８０１では、ＲＯＭ１２に記憶している文字と、文字を表す星の配列との関係を示すテーブルを参照して、オーディオ情報７１を示す星の配列を算出する。ステップＳ８０２では、空３１の領域に星を配列する。
【００２７】
ステップＳ８０３ではＣＤプレーヤ部１９が音楽を再生しているか否かを判定する。再生している場合はステップＳ８０３が肯定判定され、ステップＳ８０４へ進む。再生していない場合はステップＳ８０３が否定判定され、ステップＳ８０６へ進む。ステップＳ８０４では、再生している音楽の曲名の情報７１をＣＤプレーヤ部１９から取得する。ステップＳ８０５では、ＣＤプレーヤ部１９で再生している曲が変更されたか否かを判定する。変更された場合はステップＳ８０５が肯定判定され、ステップＳ８０７へ進む。変更されていない場合はステップＳ８０５が否定判定され、ステップＳ４１０へ進む。
【００２８】
ステップＳ８０６では、空３１の領域に配列した星を流れ星のように斜め下方向に移動した後、星を消去する。そして、ステップＳ４０１へ戻る。ステップＳ８０７では、空３１の領域に配列した星を流れ星のように斜め下方向に移動した後、星を消去する。そして、ステップＳ８０１へ戻る。
【００２９】
（３）ナビゲーション装置が再生する音楽源はＣＤに限定されない。たとえば、ハードディスクに記憶された音楽ファイルでもよいし、ＭＤ（Ｍｉｎｉ  Ｄｉｓｃ）でもよい。
【００３０】
（４）ナビゲーション装置１が表示する再生中の音楽に関するオーディオ情報は、ナビゲーション装置１のスピーカ１７から出力しているものであれば、ナビゲーション装置１が再生している音楽に関するオーディオ情報に限定されない。たとえば、ナビゲーション装置１に接続しているデジタルオーディオプレーヤなどのオーディオ装置が再生している音楽に関するオーディオ情報でもよい。この場合、ナビゲーション装置１は、オーディオ装置から、再生している音楽に関するオーディオ情報を取得し、それを表示モニタ１６に表示する。
【００３１】
（５）空の領域が表示されている地図であれば、鳥瞰図表示の地図に限定されない。たとえば、運転席の視点から観察される景観を表示した３次元の立体地図でもよい。
【００３２】
（６）アドバルーン３２などの上空に観察される対象物にオーディオ情報を表示したが、図９に示すように、エアコンの設定温度３２ｂなど、空調装置に関する情報を表示してもよい。
【００３３】
（７）オーディオ機能を備えた、またはオーディオ装置と接続できる地図表示装置であれば、ナビゲーション装置１に限定されない。
【００３４】
以上の説明はあくまで一例であり、発明は、上記の実施形態に何ら限定されるものではない。
【００３５】
特許請求の範囲の要素と実施の形態との対応関係を説明する。
本発明の地図表示手段は制御回路１１、ディスクドライブ１１０およびＤＶＤ−ＲＯＭ１１１に対応し、オーディオ情報表示手段は制御回路１１およびＣＤプレーヤ部１９に対応する。なお、以上の説明はあくまで一例であり、発明を解釈する上で、上記の実施形態の構成要素と本発明の対応関係になんら限定されるものではない。
【図面の簡単な説明】
【００３６】
【図１】本発明のナビゲーション装置の構成を示すブロック図である。
【図２】鳥瞰図表示の地図を説明するための図である。
【図３】本発明の一実施形態における鳥瞰図表示の地図画面にオーディオ情報を表示する表示方法を説明するための図である。
【図４】本発明の一実施形態におけるオーディオ情報の表示処理を説明するためのフローチャートである。
【図５】雲で文字を描いてオーディオ情報を表示する表示方法を説明するための図である。
【図６】雲で文字を描いてオーディオ情報を表示する表示処理を説明するためのフローチャートである。
【図７】図７（ａ）は星の配列でオーディオ情報を表示する表示方法を説明するための図であり、図７（ｂ）は星の配列で表示されていたオーディオ情報が流れ星によって消去される消去方法を説明するための図である。
【図８】星の配列でオーディオ情報を表示する表示処理を説明するためのフローチャートである。
【図９】空調装置の情報を表示した本発明の実施形態の変形例を説明するための図である。
【符号の説明】
【００３７】
１  ナビゲーション装置
１１  制御回路
１６  表示モニタ
１９  ＣＤプレーヤ部
３０  鳥瞰図表示の地図
３１  空
３２  アドバルーン
３２ａ，５１，７１  オーディオ情報
【図１】
2008139079.tif 000003
【図２】
2008139079.tif 000004
【図３】
2008139079.tif 000005
【図４】
2008139079.tif 000006
【図５】
2008139079.tif 000007
【図６】
2008139079.tif 000008
【図７】
2008139079.tif 000009
【図８】
2008139079.tif 000010
【図９】
2008139079.tif 000011